(57)【要約】【課題】外面の模様とともに、アルミニウムの金属色による微妙な色合いや金属光沢を外面に表出させることができる雨樋を提供する。【解決手段】雨樋１は、アルミニウム基材１０の外面に酸化皮膜層１１が配され、その外面に加飾層１２が配されており、加飾層１２の表面に模様５が施されている。【選択図】図１
2020012283.tif 000002
【特許請求の範囲】
【請求項１】
アルミニウム基材の外面に酸化皮膜層が配され、その外面に加飾層が配されており、該加飾層の表面に模様が施されていることを特徴とする雨樋。
【請求項２】
請求項１において、
前記加飾層の表面側に紫外線カット層が配されていることを特徴とする雨樋。
【請求項３】
請求項１または２において、
前記加飾層が水圧転写により形成されたインク層とされることを特徴とする雨樋。
【請求項４】
請求項１または２において、
前記加飾層がシルクスクリーン印刷により形成されたインク層とされることを特徴とする雨樋。
【請求項５】
請求項１または２において、
前記加飾層がインクジェット印刷により形成されたインク層とされることを特徴とする雨樋。
【発明の詳細な説明】
【技術分野】
【０００１】
本発明は雨樋に関する。
【背景技術】
【０００２】
従来、外面に模様を施した雨樋が種々提案されている（例えば、特許文献１参照）。この文献には、合成樹脂製の基材に加飾層を配してなる雨樋が開示してある。
【先行技術文献】
【特許文献】
【０００３】
【特許文献１】特開２００５−２５６３７２号公報
【発明の概要】
【発明が解決しようとする課題】
【０００４】
ところで近時、アルミニウムを基材とした雨樋が開発されている。このようにアルミニウムを基材として加飾層を付加すれば、そのアルミニウムによる金属色が加飾層を通して微妙な色合いや金属光沢を表出することが期待できるが、現在のところそのような雨樋は提案されていない。
【０００５】
本発明は、このような事情を考慮して提案されたもので、その目的は、外面の模様とともに、アルミニウムの金属色による微妙な色合いや金属光沢を外面に表出させることができる雨樋を提供することにある。
【課題を解決するための手段】
【０００６】
上記目的を達成するために、請求項１に記載の雨樋は、アルミニウム基材の外面に酸化皮膜層が配され、その外面に加飾層が配されており、加飾層の表面に模様が施されていることを特徴とする。
【０００７】
請求項２に記載の雨樋は、加飾層の表面側に紫外線カット層が配されていることを特徴とする。
【０００８】
請求項３に記載の雨樋は、加飾層が水圧転写により形成されたインク層とされることを特徴とする。
【０００９】
請求項４に記載の雨樋は、加飾層がシルクスクリーン印刷により形成されたインク層とされることを特徴とする。
【００１０】
請求項５に記載の雨樋は、加飾層がインクジェット印刷により形成されたインク層とされることを特徴とする。
【発明の効果】
【００１１】
請求項１に記載の雨樋は上述した構成とされているため、外面の模様とともに、アルミニウムの金属色による微妙な色合いや金属光沢を外面に表出させることができ、美観を高められる。また、外面の腐食や酸化などを抑制することができる。
【００１２】
請求項２に記載の雨樋によれば、耐候性、耐久性を高めることができる。
【００１３】
請求項３に記載の雨樋によれば、水圧転写方式を採用して加飾層を形成しているため、立体的な外面に細かな模様を適切に形成でき、美観を高めることができる。また、手作業による場合でも、簡易であるため熟練の作業者を必要とせず、コストを低減化できる。
【００１４】
請求項４に記載の雨樋によれば、シルクスクリーン印刷方式を採用して加飾層を形成しているため、立体的な外面に細かでかつ立体的な模様を適切に形成でき、美観を高めることができる。また、従来の印刷設備を利用できるので、コストを低減化できる。
【００１５】
請求項５に記載の雨樋によれば、インクジェット印刷方式を採用して加飾層を形成しているため、複数のインク層を重ねて形成でき、そのため立体的な模様を適切に形成でき、美観を高めることができる。また、版を形成する必要がないため、コンピュータを用いれば人手をほとんど介さずに加飾することができる。
【図面の簡単な説明】
【００１６】
【図１】本発明の一実施形態に係る雨樋の説明図である。（ａ）は雨樋の長手方向の一端側を断面とした斜視図、（ｂ）は（ａ）におけるＡの拡大断面図である。
【図２】水圧転写方式による加飾層の形成方法を示した説明図である。（ａ）は概略フローチャート、（ｂ）は同方式を概略的に示した模式図である。
【図３】スクリーン印刷方式による加飾層の形成方法を示した説明図である。（ａ）は概略フローチャート、（ｂ）は同方式を概略的に示した模式図である。
【図４】インクジェット印刷方式による加飾層の形成方法を示した説明図である。（ａ）は概略フローチャート、（ｂ）は同方式を概略的に示した模式図である。
【発明を実施するための形態】
【００１７】
以下に、本発明の実施の形態について、添付図面を参照して説明する。なお、本実施形態は雨樋１として丸形軒樋または角形軒樋を例示する。
【００１８】
実施形態に係る雨樋１は、図１（ａ）（ｂ）に示すように、アルミニウム基材１０の外面に酸化皮膜層１１が配され、その外面に加飾層１２が配されており、加飾層１２の表面に模様５が施されている。なお、加飾層１２の表面側には透明または半透明の紫外線カット層１３が形成されており、この紫外線カット層１３を通じて、図１（ａ）に示すように模様５が表出されている。
【００１９】
アルミニウム基材１０は、厚みが約１ｍｍ〜約２ｍｍとされ、帯板材を断面略半円形状に加工したもので、短手方向（軒先に取り付けた際の前後方向）の両端に耳部２、２が形成されている。
【００２０】
アルミニウム基材１０の外面（凸湾曲面）に形成された酸化皮膜層１１は、アルマイト処理により形成されもので、その表面は微細な凹部１１ａ（穴）が形成されている。なお、酸化皮膜層１１はアルミニウム基材１０の内面（凹湾曲面）にも形成されていてもよい。
【００２１】
アルマイト処理は公知の方法を採用できる。例えば希硫酸やシュウ酸などの処理浴にアルミニウム基材１０を浸し、そのアルミニウム基材１０を陽極として電気分解することにより、アルミニウム基材１０の表面を電気化学的に酸化させ、酸化アルミニウムの酸化皮膜層１１を生成させることができる。
【００２２】
その酸化皮膜層１１の外面には、酸化皮膜層１１の凹部１１ａを埋めるように加飾層１２が形成されている。加飾層１２は、種々の印刷によるインク層でもよいし、模様５を有した模様フィルムを貼りつけて形成された貼着フィルム層であってもよい。この加飾層１２は表面側に模様５が施されている。
【００２３】
図１（ｂ）に示すように、さらに加飾層１２の表面側には、紫外線カット層１３が形成されていることが望ましい。この紫外線カット層１３は、紫外線カットフィルムを貼り付けて形成すればよいが、紫外線吸収剤入りの樹脂系クリアー塗料による塗膜層であってもよい。また、それらを組み合わせて形成された塗膜層であってもよい。
【００２４】
このような雨樋１によれば、外面には加飾層１２の模様５が外観露出するため、雨樋外面のデザイン化を図ることができる。例えば、建築物の外壁に応じた模様５にしたり、高級感のある模様５にしたりすることができる。さらに、基材がアルミニウムであるため、アルミニウムによる酸化皮膜層１１の表面の一部を露出させたり、酸化皮膜層１１の表面を透けるようにさせたりすることもでき、金属色をともなった微妙な色合いや金属光沢をともなった模様５を表出させることもできる。
【００２５】
また、酸化皮膜層１１の外面に凹部１１ａが形成されているため、その酸化皮膜層１１自体の凹凸感を加飾層１２に生かし、凹凸のある模様５とすることもできる。
【００２６】
加飾層１２は、種々の方法で形成することができる。以下に、水圧転写による方法（図２参照）、シルクスクリーン印刷による方法（図３参照）、インクジェット印刷（図４参照）による方法について例示し説明する。
【００２７】
図２（ａ）は水圧転写方式による加飾層１２の形成方法を概略フローチャート、図２（ｂ）は同方式を概略的に示した模式図である。
【００２８】
この方式では、図２（ａ）に示すように、まずアルミニウム基材１０の外面にアルマイト処理を施し、つぎに酸化皮膜層付きアルミニウム基材１５の外面１５ａに水圧転写処理で模様５を形成し、ついでその外面に紫外線カット層１３を形成する紫外線カット処理を実行すればよい（Ｓ１０１〜Ｓ１０３）。
【００２９】
水圧転写方式は、図２（ｂ）に示すように、模様５の印刷を施した水圧転写用フィルム２２を、印刷面２２ａを上にして水槽２０の水面２１に浮かし、被転写物である酸化皮膜層付きアルミニウム基材１５を、外面１５ａを下に向け押し込んで水中に沈下させ、水圧によって印刷面２２ａを酸化皮膜層付きアルミニウム基材１５の外面１５ａに転写する方法である。これにより、酸化皮膜層１１の外面１５ａにインク層による加飾層１２を形成することができる。
【００３０】
この方式によれば、湾曲面を有した雨樋１であっても、外面の模様５を簡易に効率的に形成できる。また、酸化皮膜層付きアルミニウム基材１５の水中への浸漬は手作業でなされればよいが、高度な技能を必要としないため熟練作業員でなくても作業でき、人件費がかさむことを防止できる。なお、雨樋１は定形状であるため、水圧転写用フィルム２２の水面２１への配置、水圧転写用フィルム２２に対する被転写物の押し込み、被転写物の取り出しの流れ作業を機械で自動化することもできる。
【００３１】
図３（ａ）はシルクスクリーン印刷方式による加飾層１２の形成方法を概略フローチャート、図２（ｂ）は同方式を概略的に示した模式図である。
【００３２】
この方式では、図３（ａ）に示すように、まずアルミニウム基材１０の外面にアルマイト処理を施し、つぎに酸化皮膜層付きアルミニウム基材１５の外面１５ａにシルクスクリーン印刷で模様５を形成し、ついでその外面に紫外線カット層１３を形成する紫外線カット処理を実行すればよい（Ｓ２０１〜Ｓ２０３）。
【００３３】
シルクスクリーン印刷は、孔版画の技法の一種であり、インクが通過する穴とインクが通過しないところを作ることで版画の版３０（メッシュ材）を製版し、印刷する技法である。版としてはシルクなどの布を用いればよい。具体的には、図３（ｂ）に示すように、版３０を固定し、版３０の上面にインクを置き、下方より、外面１５ａを上に向けて酸化皮膜層付きアルミニウム基材１５を版３０に押し当て、押し当てた状態で酸化皮膜層付きアルミニウム基材１５の湾曲状の外面１５ａを回転させ、その回転にともなって、長手方向の長さに対応したスクイージー３１を短手方向に移動させながらインクを版３０の上方よりインクを押し出してインクを湾曲状の外面１５ａに塗布するようにすればよい。
【００３４】
この方式によれば、機械設備を準備すれば、湾曲面を有した雨樋１であっても、外面の模様５を簡易に効率的に形成できる。また、孔版画方式でありため、インク層（加飾層１２）の外面を凹凸状に形成でき、それによりエンボス様の模様５を形成することができる。
【００３５】
図４（ａ）はインクジェット印刷方式による加飾層１２の形成方法を概略フローチャート、図４（ｂ）は同方式を概略的に示した模式図である。
【００３６】
この方式では、図４（ａ）に示すように、まずアルミニウム基材１０の外面にアルマイト処理を施し、つぎに酸化皮膜層付きアルミニウム基材１５の外面１５ａにインクジェット印刷で模様５を形成し、ついでその外面に紫外線カット層１３を形成する紫外線カット処理を実行すればよい（Ｓ３０１〜Ｓ３０３）。
【００３７】
インクジェット印刷方式は、インクジェットヘッド４１を有したインクジェット印刷装置４０を用いるものである。このインクジェット印刷装置４０は、コンピュータ４２を用いた装置であり、コンピュータ４２によりインクジェットヘッド４１を制御して印刷を行うものである。
【００３８】
例えば図４（ｂ）に示すように、印刷テーブル４３に酸化皮膜層付きアルミニウム基材１５の外面１５ａを上に向けて載置し、インクジェットヘッド４１を下方に向けてインクノズル（不図示）よりインクを滴下させる方法が採用され得る。なお、本図例では、被印刷物である酸化皮膜層付きアルミニウム基材１５として角形軒樋のものを例示した。
【００３９】
図４（ｂ）のものは、コンピュータ４２がインクジェットヘッド４１を酸化皮膜層付きアルミニウム基材１５の長手方向に沿って移動させながら、インクジェットヘッド４１よりインクを滴下させるようにしてある。コンピュータ４２は、印刷すべき模様５を画像データとして有しており、インクジェットヘッド４１を移動させながら、場所に応じて適切にインクを滴下する構成とされている。
【００４０】
この方式によれば、コンピュータ４２内に画像データを保存しておけばよく、版を有さずともよいため、人手を介さず、自動化がしやすい。つまりＤＴＰ印刷が可能となる。また、インクを何層にも重ねる印刷も行えるため、インク層（加飾層１２）の外面を凹凸状に形成しやすく、それによりエンボス様の模様５を形成することができる。さらに、紫外線カット層１３を形成するための紫外線吸収剤入りの樹脂系クリアー塗料をインクジェットヘッド４１により滴下して、紫外線カット層１３を形成するようにしてもよい。
【００４１】
また、本例のように角形軒樋を被印刷物とする場合、図４（ｂ）に示すように平坦な外面１５ａが３面あるため、それぞれの外面１５ａが上方を向くように印刷テーブル４３に載置して、外面１５ａごとに置き換えて印刷すればよい。
【００４２】
以上には加飾の方法として、水圧転写、シルクスクリーン印刷およびインクジェット印刷の各方法について、一例ずつを例示説明したが、各方法において他の装置、他の手順を用いるものであってもよい。また、これら３種の方法以外の印刷または塗布方法で加飾するようにしてもよい。
【００４３】
なお、以上には雨樋１として軒樋を例示したが、竪樋や集水器も本雨樋１の対象として含まれる。
【符号の説明】
【００４４】
１            雨樋（軒樋）
２            耳部
５            模様
１０          アルミニウム基材
１１          酸化皮膜層
１１ａ        凹部
１２          加飾層
１３          紫外線カット層
１５          酸化皮膜層付きアルミニウム基材
１５ａ        外面
２０          水槽
２１          水面
２２          水圧転写用フィルム
３０          シルクスクリーン印刷用の版
３１          スクイージー
４０          インクジェット印刷装置
４１          インクジェットヘッド
４２          コンピュータ
４３          印刷テーブル
【図１】
2020012283.tif 000003
【図２】
2020012283.tif 000004
【図３】
2020012283.tif 000005
【図４】
2020012283.tif 000006